(57)【要約】【課題】  既にテレビジョン受信機に広く搭載されている通信モジュールを利用することにより、携帯端末を検出して携帯端末を所持しているユーザーを検知し、検知したユーザーの位置に応じてスタンバイモードを自動的に切替えることができるテレビジョン受信機を提供する。【解決手段】  映像を表示する表示部１４と、携帯端末２１を検出し通信を行う通信部６と、リモコン２０から出力された電源入力信号を受信するリモコン受光部５と、消費電力と起動時間が異なる複数のスタンバイモードを備え、通信部６を介して取得した携帯端末２１の受信強度に応じて、消費電力が低く起動時間が長い第１のスタンバイモードと第１のスタンバイモードより消費電力が高く起動時間が短い第２のスタンバイモードとを切替える第１の制御部７とを備える。【選択図】  図１
2020156018.tif 000002
【特許請求の範囲】
【請求項１】
映像を表示する表示部と、
携帯端末を検出し通信を行う通信部と、
リモコンから出力された電源入力信号を受信するリモコン受光部と、
消費電力と起動時間が異なる複数のスタンバイモードを備え、前記通信部を介して取得した前記携帯端末の受信強度に応じて、消費電力が低く起動時間が長い第１のスタンバイモードと前記第１のスタンバイモードより消費電力が高く起動時間が短い第２のスタンバイモードとを切替える第１の制御部と、
を備えたテレビジョン受信機。
【請求項２】
電源を供給する電源部と、
前記第１のスタンバイモード時に動作する回路で構成された第１の回路と、
前記第２のスタンバイモード時に動作し、前記第１の回路以外の回路で構成された第２の回路と、
を備え、
前記第１のスタンバイモードから前記第２のスタンバイモードへ移行するとき、前記電源部は前記第１の制御部の制御により、前記第２の回路へ電源を供給し、
前記第２のスタンバイモードから前記第１のスタンバイモードへ移行するとき、前記電源部は前記第１の制御部の制御により、前記第２の回路への電源供給を停止することを特徴とする請求項１に記載のテレビジョン受信機。
【請求項３】
前記第１の制御部は、前記第１のスタンバイモード時に前記通信部を介して取得した前記携帯端末の受信強度があらかじめ設定された第１の閾値を超えたとき、前記第２のスタンバイモードへ移行することを特徴とする請求項１または請求項２に記載のテレビジョン受信機。
【請求項４】
前記第１の制御部は、前記携帯端末の受信強度が前記第１の閾値を超えた回数があらかじめ設定された第１の回数に達したとき、前記第２のスタンバイモードへ移行することを特徴とする請求項３に記載のテレビジョン受信機。
【請求項５】
前記第１の制御部は、前記第２のスタンバイモード時に前記通信部を介して取得した前記携帯端末の受信強度があらかじめ設定された第２の閾値以下のとき、前記第１のスタンバイモードへ移行することを特徴とする請求項１から請求項４のいずれか１項に記載のテレビジョン受信機。
【請求項６】
前記第１の制御部は、前記携帯端末の受信強度が前記第２の閾値以下になる回数があらかじめ設定された第２の回数に達したとき、前記第１のスタンバイモードへ移行することを特徴とする請求項５に記載のテレビジョン受信機。
【発明の詳細な説明】
【技術分野】
【０００１】
本発明は、自動でスタンバイモードを切り替えるテレビジョン受信機に関する。
【背景技術】
【０００２】
従来の表示装置は、人の存在を検出する人感センサを備えており、第１の待機状態において人感センサによって人の存在が検出されたとき、第１の待機状態から第１の待機状態よりも電源投入操作から表示部に映像を表示させるまでの起動時間が短い第２の待機状態へ移行させ、第２の待機状態において電源オン操作が為されない時間がタイマーでの設定時間を超えたとき、第２の待機状態から第２の待機状態よりも消費電力が小さい第１の待機状態へ移行させている（例えば、特許文献１参照）。
【先行技術文献】
【特許文献】
【０００３】
【特許文献１】特開２０１２−１５１９０２号公報
【発明の概要】
【発明が解決しようとする課題】
【０００４】
しかしながら、従来の表示装置では、人の存在を検出するために、人感センサをわざわざ表示装置に追加しなければならないという問題点があった。
【０００５】
ところで、近年、通信モジュールを搭載し、ＩＥＥＥ８０２．１１を規格とする無線ＬＡＮ（Ｌｏｃａｌ  Ａｒｅａ  Ｎｅｔｗｏｒｋ）及びＷｉ−Ｆｉ（登録商標）や、Ｂｌｕｅｔｏｏｔｈ（登録商標）などの無線通信を行うことができるテレビジョン受信機が増加している。テレビジョン受信機とスマートフォン（Ｓｍａｒｔｐｈｏｎｅ）などの携帯端末とを無線通信により接続することにより、遠隔から操作してインターネット上のコンテンツを閲覧したり、携帯端末に記憶されている音楽データをテレビジョン受信機のスピーカで鳴らしたりすることができる。
【０００６】
本発明は、上記した問題点を解決するためになされたものであり、既にテレビジョン受信機に広く搭載されている通信モジュールを利用することにより、ユーザーを検知し、検知したユーザーの位置に応じてスタンバイモードを自動的に切替えられるテレビジョン受信機を提供することを目的とする。
【課題を解決するための手段】
【０００７】
本発明に係るテレビジョン受信機は、映像を表示する表示部と、携帯端末を検出し通信を行う通信部と、リモコンから出力された電源入力信号を受信するリモコン受光部と、消費電力と起動時間が異なる複数のスタンバイモードを備え、通信部を介して取得した携帯端末の受信強度に応じて、消費電力が低く起動時間が長い第１のスタンバイモードと第１のスタンバイモードより消費電力が高く起動時間が短い第２のスタンバイモードとを切替える第１の制御部とを備える。
【発明の効果】
【０００８】
本発明のテレビジョン受信機は、既にテレビジョン受信機に広く搭載されている通信モジュールを利用することにより、携帯端末を検出して携帯端末を所持しているユーザーを検知し、検知したユーザーの位置に応じてスタンバイモードを自動的に切替えることができる。
【図面の簡単な説明】
【０００９】
【図１】本発明の実施の形態を示すテレビジョン受信機のブロック図である。
【図２】本発明の実施の形態を示すテレビジョン受信機が第１のスタンバイモードから第２のスタンバイモードへ移行するときのフローチャートである。
【図３】本発明の実施の形態を示すテレビジョン受信機が第２のスタンバイモードから第１のスタンバイモードへ移行するときのフローチャートである。
【発明を実施するための形態】
【００１０】
実施の形態．
本発明の実施の形態におけるテレビジョン受信機について説明する。図１に示すとおり、テレビジョン受信機１００は、第１の回路１、第２の回路２、第３の回路３および電源部４を備えている。
【００１１】
第１の回路１は、リモコン２０から出力された信号の受信および携帯端末２１との通信を行い、リモコン２０や携帯端末２１から入手した情報を基にテレビジョン受信機１００を制御するのに必要な最小限の回路で構成されており、リモコン受光部５、通信部６、第１の制御部７および第１の記憶部８を備えている。
【００１２】
リモコン受光部５は、ユーザーがテレビジョン受信機１００を操作するときに用いるリモコン２０からの信号を受信する。通信部６は、例えば、テレビジョン受信機に広く搭載されている通信モジュールのように、遠隔からテレビジョン受信機１００を操作する携帯端末２１を検出し、通信を行う。第１の制御部７は、リモコン受光部５で受信した信号や通信部６で入手した情報を処理し、電源部４を制御する。第１の記憶部８は、第１の制御部７で行われる処理に用いられるパラメータなどを格納している。なお、本実施の形態では、通信部６と携帯端末２１との通信は、Ｂｌｕｅｔｏｏｔｈ（登録商標）を用いた方式を例として示すが、ＩＥＥＥ８０２．１１を規格とする無線ＬＡＮ、Ｗｉ−Ｆｉ、電力線搬送波などの方式を用いた技術でも同様の制御が可能であることは明らかである。
【００１３】
第２の回路２は、第２の制御部９などの起動に時間のかかる回路で構成されており、第２の制御部９、第２の記憶部１０、チューナ部１１、復調部１２、映像出力部１３および音声出力部１５を備えている。また、第３の回路３は、第１の回路１、第２の回路２以外の回路で構成されており、表示部１４およびスピーカ１６を備えている。なお、第２の回路２に含まれている回路が、第１の回路１または第３の回路３に含まれていても構わない。
【００１４】
チューナ部１１は、アンテナ２２と同軸ケーブルなどを介して接続され、アンテナ２２で受信されたデジタル放送信号を含んだＲＦ（Ｒａｄｉｏ  Ｆｒｅｑｕｅｎｃｙ）信号から必要な信号を抽出する。復調部１２は、チューナ部１１で抽出された信号を復号し、復号した信号を第２の制御部９へ出力する。
【００１５】
第２の制御部９は、テレビジョン受信機１００の主な動作を制御する。また、第２の制御部９は、通信部６から入手したコンテンツや音楽データの信号および復調部１２で復号された信号を処理し、映像信号を映像出力部１３へ、音声信号を音声出力部１５へ出力する。第２の記憶部１０は、第２の制御部９で行われる処理に用いられるパラメータなどを格納している。
【００１６】
映像出力部１３は、第２の制御部９から出力された映像信号の信号処理を行い、表示部１４へ映像出力信号を出力する。表示部１４は、映像出力部１３から出力された映像出力信号に従って映像を表示する。音声出力部１５は、第２の制御部９から出力された音声信号の信号処理を行い、スピーカ１６へ音声出力信号を出力する。スピーカ１６は、音声出力部１５から出力された音声出力信号に従って音声を出力する。
【００１７】
電源部４は、第１の回路１に電源を供給し、第１の制御部７の制御に従って、第２の回路２および第３の回路３に電源を供給する。
【００１８】
次に、テレビジョン受信機１００のスタンバイモードについて説明する。まず、テレビジョン受信機１００には、ユーザーがリモコン２０などを使って電源をオンし、表示部１４に映像を表示したり、スピーカ１６から音声を出力したりする電源オンモードと、ユーザーがリモコン２０などを使って電源をオフし、表示部１４の映像およびスピーカ１６の音声を共にオフするスタンバイモードとがある。
【００１９】
ユーザーがリモコン２０を使って電源をオンすると、リモコン２０から出力された電源入力信号をリモコン受光部５が受信する。第１の制御部７は、リモコン受光部５で受信された信号が電源オンの操作信号であると判定すると、電源部４を制御して、第１の回路１、第２の回路２および第３の回路３へ電源を供給する。このとき、第１の回路１、第２の回路２および第３の回路３へ電源が供給されるため、すべての回路は動作できる状態になっている。このすべての回路が動作できる状態のことを電源オンモードと呼ぶ。
【００２０】
ユーザーがリモコン２０を使って電源をオフすると、リモコン２０から出力された電源入力信号をリモコン受光部５が受信する。第１の制御部７は、リモコン受光部５で受信された信号が電源オフの操作信号であると判定すると、電源部４を制御して、第３の回路３への電源供給を停止する。このとき、第３の回路３への電源供給が停止されるため、第３の回路３は動作を停止する。この第３の回路３の動作が停止している状態のことをスタンバイモードと呼ぶ。
【００２１】
テレビジョン受信機１００は、少なくとも２種類のスタンバイモードを有している。１つ目は、第１の制御部７が電源部４を制御して、第１の回路１にのみ電源を供給し、第１の回路１のみ動作させる第１のスタンバイモード、２つ目は、第１の制御部７が電源部４を制御して、第１の回路１および第２の回路２に電源を供給し、第１の回路１および第２の回路２を動作させる第２のスタンバイモードである。
【００２２】
第１のスタンバイモードは、第１の回路１がリモコン２０から発信された信号の受信および携帯端末２１との通信を行い、リモコン２０や携帯端末２１から入手した情報を基にテレビジョン受信機１００を制御するのに必要な最小限の回路で構成されているため、消費電力が最も低くなる。例えば、テレビジョン受信機１００の消費電力は１Ｗ未満に抑えられている。しかしながら、第１のスタンバイモードでは、第１の回路１以外の回路が動作を停止しており、ユーザーがリモコン２０などを使って電源をオンしてから、映像や音声を処理するための回路が起動し、プログラムを処理するなどの一連の動作を行うため、テレビジョン受信機１００が電源オンモードになるまでの起動時間は長くなる。
【００２３】
第２のスタンバイモードは、第１の回路１に加え、第２の回路２にも電源部４から電源が供給されているため、第１のスタンバイモードよりも消費電力が大きくなっている。例えば、テレビジョン受信機１００の消費電力は数Ｗ〜数十Ｗ程度ある。しかしながら、第２のスタンバイモードでは、第２の回路２が第２の制御部９などの起動に時間のかかる回路で構成されているため、第２の回路２をあらかじめ起動させておくことにより、ユーザーがリモコン２０などを使って電源をオンしてからテレビジョン受信機１００が電源オンモードになるまでの起動時間は第１のスタンバイモードよりも短くなる。
【００２４】
次に、本実施の形態を示すテレビジョン受信機１００が第１のスタンバイモードから第２のスタンバイモードへ移行するときの動作について図２を用いて説明する。テレビジョン受信機１００は、リモコン２０を使って電源をオフされた後、第１のスタンバイモードに移行した状態とする。まず、第１の制御部７は、通信部６を介して、携帯端末２１を探索する（ステップＳ１）。
【００２５】
第１の制御部７は、通信部６を介して、携帯端末２１を検出できたか否かを判定する（ステップＳ２）。なお、第１の制御部７は、通信部６を介して、携帯端末２１が発信している携帯端末２１自身のデバイス情報を入手できたとき、携帯端末２１を検出できたと判定する。
【００２６】
携帯端末２１を検出できた場合（ステップＳ２：Ｙｅｓ）、ステップＳ３へ進む。携帯端末２１を検出できなかった場合（ステップＳ２：Ｎｏ）、ステップＳ１に戻る。
【００２７】
第１の制御部７は、通信部６を介して検出した携帯端末２１が既に登録済みの携帯端末か否かを判定する（ステップＳ３）。なお、登録は、２つの機器を接続させる前に、互いのデバイス情報を入手し、入手した相手のデバイス情報を自分の機器に登録し、互いの機器を認識させることによって行われる。この実施の形態では、登録の手順については記載しないが、テレビジョン受信機１００では、登録した携帯端末のデバイス情報を第１の記憶部８に保存している。そのため、第１の制御部７は、通信部６を介して入手した携帯端末２１のデバイス情報が、第１の記憶部８に保存されている既に登録済みの携帯端末のデバイス情報と一致したとき、携帯端末２１を登録済みの携帯端末であると判定する。
【００２８】
携帯端末２１が既に登録済みの携帯端末の場合（ステップＳ３：Ｙｅｓ）、第１の制御部７は、通信部６と携帯端末２１との間を接続する手続きを開始する（ステップＳ４）。携帯端末２１がまだ登録されていない携帯端末の場合（ステップＳ３：Ｎｏ）、通信部６と登録されていない携帯端末２１とを接続させることができないため、ステップＳ１に戻る。
【００２９】
第１の制御部７は、通信部６と携帯端末２１との間の接続が完了したか否かを判定する（ステップＳ５）。携帯端末２１との接続が完了した場合（ステップＳ５：Ｙｅｓ）、第１の制御部７は、通信部６と携帯端末２１との間の接続を維持する（ステップＳ６）。携帯端末２１との接続が完了していない場合（ステップＳ５：Ｎｏ）、もう一度ステップＳ５に戻る。なお、第１の制御部７は、通信部６と携帯端末２１との間の接続が維持されている間は、通信部６と既に登録済みで携帯端末２１以外の携帯端末との接続は行わない。
【００３０】
ステップＳ７以降は、テレビジョン受信機１００が、テレビジョン受信機１００の近くにユーザーがいるかどうかを検知するためのステップである。なお、この発明の実施の形態におけるテレビジョン受信機１００では、ユーザーは常に携帯端末２１の近くにいるものとしてユーザーの位置を判断している。そのため、第１の制御部７が通信部６を介して携帯端末２１の受信強度を取得し、取得した受信強度の大きさを確認することにより、携帯端末２１がテレビジョン受信機１００の近くにあるかどうか、すなわち、携帯端末２１を所持しているユーザーがテレビジョン受信機１００の近くにいるかどうかを判定している。
【００３１】
また、受信強度は、通信部６が受信した電波の強度ではなく、携帯端末２１が受信した電波の強度を使用する。これは、通信部６と接続している携帯端末２１から出力される電波の強度が、携帯端末２１の機種によってそれぞれ異なるため、通信部６が受信した電波の強度を使用して、携帯端末２１の位置を推定することができないためである。また、携帯端末２１の受信強度として、例えば、携帯端末２１のＲＳＳＩ（Ｒｅｃｅｉｖｅｄ  Ｓｉｇｎａｌ  Ｓｔｒｅｎｇｔｈ  Ｉｎｄｉｃａｔｉｏｎ）を使用しても構わない。
【００３２】
また、携帯端末２１の受信強度から携帯端末２１の位置を推定するとき、取得した携帯端末２１の受信強度とあらかじめ設定されている携帯端末２１の受信強度の閾値とを一度だけ比較するより、繰り返し比較した方が精度を上げることができる。したがって、この実施の形態では、取得した携帯端末２１の受信強度と携帯端末２１の受信強度の閾値との比較を繰り返し行うことにする。
【００３３】
第１の制御部７は、一定時間待機する（ステップＳ７）。この待機時間をＴｗ０１とする。なお、この待機する期間は、第１のスタンバイモードのように消費電力を抑えるスタンバイモードの場合、例えば数百ｍｓ程度など、極力時間をおく方が好ましい。
【００３４】
次に、第１の制御部７は、繰り返し比較する回数の変数Ｎを初期化するため、変数Ｎに０を代入する（ステップＳ８）。また、第１の制御部７は、通信部６を介して取得した携帯端末２１の受信強度の変数Ｒｓを初期化するため、受信強度の変数Ｒｓに携帯端末２１の受信強度の第１の閾値Ｒｓｔｈ１を代入し、第１の記憶部８に保存する（ステップＳ９）。なお、携帯端末２１における受信強度の第１の閾値Ｒｓｔｈ１は、携帯端末２１がテレビジョン受信機１００の近くにあるかどうかを判定するためにあらかじめ設定されており、第１の記憶部８に保存されている。
【００３５】
次に、繰り返し比較する回数を、あらかじめ設定されている第１の回数Ｎｌｐ１とする。第１の制御部７は、繰り返し比較する回数の変数Ｎが第１の回数Ｎｌｐ１と等しいか否かを判定する（ステップＳ１０）。繰り返し比較する回数の変数Ｎが第１の回数Ｎｌｐ１と等しい場合（ステップＳ１０：Ｙｅｓ）、ステップＳ１８へ進み、繰り返し比較する回数の変数Ｎが第１の回数Ｎｌｐ１と等しくない場合（ステップＳ１０：Ｎｏ）、ステップＳ１１へ進む。
【００３６】
繰り返し比較する回数の変数Ｎが第１の回数Ｎｌｐ１と等しくない場合、第１の制御部７は、通信部６を介して携帯端末２１から携帯端末２１の受信強度Ｒｓｔｍｐを取得する（ステップＳ１１）。第１の制御部７は、携帯端末２１から取得した携帯端末２１の受信強度Ｒｓｔｍｐが第１の記憶部８に保存されている第１の閾値Ｒｓｔｈ１より大きいか否かを判定する（ステップＳ１２）。受信強度Ｒｓｔｍｐが第１の閾値Ｒｓｔｈ１より大きい場合（ステップＳ１２：Ｙｅｓ）、ステップＳ１４へ進み、受信強度Ｒｓｔｍｐが第１の閾値Ｒｓｔｈ１以下の場合（ステップＳ１２：Ｎｏ）、ステップＳ１３へ進む。
【００３７】
受信強度Ｒｓｔｍｐが第１の閾値Ｒｓｔｈ１以下の場合、第１の制御部７は、通信部６が携帯端末２１との接続を維持しているか否かを確認する（ステップＳ１３）。通信部６が携帯端末２１との接続を維持している場合（ステップＳ１３：Ｙｅｓ）、ステップＳ７に戻り、通信部６が携帯端末２１との接続を維持していない場合（ステップＳ１３：Ｎｏ）、ステップＳ１に戻る。
【００３８】
受信強度Ｒｓｔｍｐが第１の閾値Ｒｓｔｈ１より大きい場合、第１の制御部７は、受信強度Ｒｓｔｍｐが携帯端末２１の受信強度の変数Ｒｓより大きいか否かを判定する（ステップＳ１４）。受信強度Ｒｓｔｍｐが携帯端末２１の受信強度の変数Ｒｓより大きい場合（ステップＳ１４：Ｙｅｓ）、ステップＳ１５へ進み、受信強度Ｒｓｔｍｐが携帯端末２１の受信強度の変数Ｒｓ以下の場合（ステップＳ１４：Ｎｏ）、ステップＳ１６へ進む。
【００３９】
受信強度Ｒｓｔｍｐが受信強度の変数Ｒｓより大きい場合、第１の制御部７は、受信強度の変数Ｒｓに受信強度Ｒｓｔｍｐを代入し、代入した受信強度の変数Ｒｓを第１の記憶部８へ保存する（ステップＳ１５）。
【００４０】
第１の制御部７は、繰り返し比較する回数の変数ＮにＮ＋１の値を代入し、代入した変数Ｎを第１の記憶部８へ保存する（ステップＳ１６）。第１の制御部７は、一定の待機時間Ｔｗ１だけ待機し（ステップＳ１７）、ステップＳ１０へ戻る。なお、待機時間Ｔｗ０１とＴｗ１との間には、以下の関係がある。
【００４１】
【数１】
2020156018.tif 000003
【００４２】
ステップＳ１０で繰り返し比較する回数の変数Ｎが第１の回数Ｎｌｐ１と等しい場合、第１の制御部７は、電源部４を制御して、第２の回路２へ電源を供給することにより、テレビジョン受信機１００を第１のスタンバイモードから第２のスタンバイモードへ移行する（ステップＳ１８）。
【００４３】
次に、本実施の形態を示すテレビジョン受信機１００が第２のスタンバイモードから第１のスタンバイモードへ移行するときの動作について図３を用いて説明する。テレビジョン受信機１００は、第２のスタンバイモードに移行した状態とする。このとき、通信部６と携帯端末２１との接続は維持されている（ステップＳ２１）。
【００４４】
ステップＳ２２以降は、テレビジョン受信機１００が、テレビジョン受信機１００の近くにいたユーザーがテレビジョン受信機１００から離れたかどうかを検知するためのステップである。なお、この発明の実施の形態におけるテレビジョン受信機１００では、ユーザーは常に携帯端末２１の近くにいるものとしてユーザーの位置を判断しているため、第１の制御部７が通信部６を介して携帯端末２１の受信強度を取得し、取得した受信強度の大きさを確認することにより、携帯端末２１がテレビジョン受信機１００から離れたかどうか、すなわち、携帯端末２１を所持しているユーザーがテレビジョン受信機１００から離れたかどうかを判定している。
【００４５】
第１の制御部７は、一定時間待機する（ステップＳ２２）。この待機時間をＴｗ０２とする。
【００４６】
次に、第１の制御部７は、繰り返し比較する回数の変数Ｎを初期化するため、変数Ｎに０を代入する（ステップＳ２３）。また、第１の制御部７は、通信部６を介して取得した携帯端末２１の受信強度の変数Ｒｓを初期化するため、受信強度の変数Ｒｓに携帯端末２１の受信強度の第２の閾値Ｒｓｔｈ２を代入し、第１の記憶部８に保存する（ステップＳ２４）。なお、携帯端末２１における受信強度の第２の閾値Ｒｓｔｈ２は、携帯端末２１がテレビジョン受信機１００から離れているかどうかを判定するためにあらかじめ設定されており、第１の記憶部８に保存されている。
【００４７】
次に、繰り返し比較する回数を、あらかじめ設定されている第２の回数Ｎｌｐ２とする。第１の制御部７は、繰り返し比較する回数の変数Ｎが第２の回数Ｎｌｐ２と等しいか否かを判定する（ステップＳ２５）。繰り返し比較する回数の変数Ｎが第２の回数Ｎｌｐ２と等しい場合（ステップＳ２５：Ｙｅｓ）、ステップＳ３３へ進み、繰り返し比較する回数の変数Ｎが第２の回数Ｎｌｐ２と等しくない場合（ステップＳ２５：Ｎｏ）、ステップＳ２６へ進む。
【００４８】
繰り返し比較する回数の変数Ｎが第２の回数Ｎｌｐ２と等しくない場合、第１の制御部７は、通信部６を介して携帯端末２１から携帯端末２１の受信強度Ｒｓｔｍｐを取得する（ステップＳ２６）。第１の制御部７は、携帯端末２１から取得した携帯端末２１の受信強度Ｒｓｔｍｐが第１の記憶部８に保存されている第２の閾値Ｒｓｔｈ２以下であるか否かを判定する（ステップＳ２７）。受信強度Ｒｓｔｍｐが第２の閾値Ｒｓｔｈ２以下の場合（ステップＳ２７：Ｙｅｓ）、ステップＳ２９へ進み、受信強度Ｒｓｔｍｐが第２の閾値Ｒｓｔｈ２より大きい場合（ステップＳ２７：Ｎｏ）、ステップＳ２８へ進む。
【００４９】
受信強度Ｒｓｔｍｐが第２の閾値Ｒｓｔｈ２より大きい場合、第１の制御部７は、通信部６が携帯端末２１との接続を維持しているか否かを確認する（ステップＳ２８）。通信部６が携帯端末２１との接続を維持している場合（ステップＳ２８：Ｙｅｓ）、ステップＳ２２に戻り、通信部６が携帯端末２１との接続を維持していない場合（ステップＳ２８：Ｎｏ）、ステップＳ３３へ進む。
【００５０】
受信強度Ｒｓｔｍｐが第２の閾値Ｒｓｔｈ２以下の場合、第１の制御部７は、受信強度Ｒｓｔｍｐが携帯端末２１の受信強度の変数Ｒｓ以下であるか否かを判定する（ステップＳ２９）。受信強度Ｒｓｔｍｐが携帯端末２１の受信強度の変数Ｒｓ以下の場合（ステップＳ２９：Ｙｅｓ）、ステップＳ３０へ進み、受信強度Ｒｓｔｍｐが携帯端末２１の受信強度の変数Ｒｓより大きい場合（ステップＳ２９：Ｎｏ）、ステップＳ３１へ進む。
【００５１】
受信強度Ｒｓｔｍｐが受信強度の変数Ｒｓ以下の場合、第１の制御部７は、受信強度の変数Ｒｓに受信強度Ｒｓｔｍｐを代入し、代入した受信強度の変数Ｒｓを第１の記憶部８へ保存する（ステップＳ３０）。
【００５２】
第１の制御部７は、繰り返し比較する回数の変数ＮにＮ＋１の値を代入し、代入した変数Ｎを第１の記憶部８へ保存する（ステップＳ３１）。第１の制御部７は、一定の待機時間Ｔｗ２だけ待機し（ステップＳ３２）、ステップＳ２５へ戻る。なお、待機時間Ｔｗ０２とＴｗ２との間には、以下の関係がある。
【００５３】
【数２】
2020156018.tif 000004
【００５４】
ステップＳ２５で繰り返し比較する回数の変数Ｎが第２の回数Ｎｌｐ２と等しい場合、第１の制御部７は、電源部４を制御して、第２の回路２への電源供給を停止することにより、テレビジョン受信機１００を第２のスタンバイモードから第１のスタンバイモードへ移行する（ステップＳ３３）。
【００５５】
このように上記した実施の形態によれば、既にテレビジョン受信機に広く搭載されている通信部６を利用することにより、携帯端末２１を検出して携帯端末２１を所持しているユーザーを検知し、通信部６を介して取得した携帯端末２１の受信強度Ｒｓｔｍｐに応じて、第１のスタンバイモードと第２のスタンバイモードとを切替えることができる。
【００５６】
また、第１のスタンバイモード時に通信部６で検出された携帯端末２１の受信強度Ｒｓｔｍｐがあらかじめ設定された第１の閾値Ｒｓｔｈ１を超えたとき、第１の制御部７が第２のスタンバイモードへ移行するようにしたことにより、起動時間が短い第２のスタンバイモードへの移行を自動的に行うことができる。
【００５７】
また、携帯端末２１の受信強度Ｒｓｔｍｐが第１の閾値Ｒｓｔｈ１を超えた回数Ｎがあらかじめ設定された第１の回数Ｎｌｐ１に達したとき、第１の制御部７が第２のスタンバイモードへ移行するようにしたことにより、携帯端末２１を所持しているユーザーがテレビジョン受信機１００の近くにいるかどうかを判定する精度を向上させることができる。
【００５８】
また、第２のスタンバイモード時に通信部６で検出された携帯端末２１の受信強度Ｒｓｔｍｐがあらかじめ設定された第２の閾値Ｒｓｔｈ２以下のとき、第１の制御部７が第１のスタンバイモードへ移行するようにしたことにより、消費電力の低い第１のスタンバイモードへの移行を自動的に行うことができる。
【００５９】
また、携帯端末２１の受信強度Ｒｓｔｍｐが第２の閾値Ｒｓｔｈ２以下になる回数Ｎがあらかじめ設定された第２の回数Ｎｌｐ２に達したとき、第１の制御部７が第１のスタンバイモードへ移行するようにしたことにより、携帯端末２１を所持しているユーザーがテレビジョン受信機１００から離れたかどうかを判定する精度を向上させることができる。
【符号の説明】
【００６０】
１  第１の回路
２  第２の回路
４  電源部
５  リモコン受光部
６  通信部
８  第１の制御部
１４  表示部
【図１】
2020156018.tif 000005
【図２】
2020156018.tif 000006
【図３】
2020156018.tif 000007